(57)【要約】ガス漏れ位置を精度よく推定することを課題とする。ガス漏れ位置推定システム（１００）は、監視対象物を撮像範囲に含む赤外線カメラ（１０）と、赤外線カメラから複数のフレームに亘って画像情報を取得する情報処理手段（３０）と備える。情報処理手段は、１フレームごとに画像領域を複数のブロックに分割して、ブロックごとにガス領域か否かを判別するブロック判別処理と、時系列の複数のフレームに亘り、ブロック判別処理によりガス領域と判別された回数をブロックごとにカウントするカウント処理と、カウント処理によるカウント値が所定値以上のブロックをガス漏れ推定位置として設定する漏れ位置推定処理とを実行可能にされている。例えば、カウント値が９以上のブロックＢ０６１１・・・をガス漏れ推定位置として設定する。
2016143754.tif 000002
【特許請求の範囲】
【請求項１】
赤外線カメラから複数のフレームに亘って画像情報を取得する情報処理手段を備え、
前記情報処理手段は、
１フレームごとに画像領域を複数のブロックに分割して、ブロックごとにガス領域か否かを判別するブロック判別処理と、
時系列の複数のフレームに亘り、前記ブロック判別処理によりガス領域と判別された回数をブロックごとにカウントするカウント処理と、
前記カウント処理によるカウント値が所定値以上のブロックをガス漏れ推定位置として設定する漏れ位置推定処理と、
を実行可能にされたガス漏れ位置推定装置。
【請求項２】
前記情報処理手段による前記漏れ位置推定処理を所定回数繰り返し実行し、ガス漏れ推定位置として設定されるブロックに変化がなければ、前記漏れ位置推定処理を終了する請求項１に記載のガス漏れ位置推定装置。
【請求項３】
前記情報処理手段は、前記フレーム内の位置を指定して予め設定された複数の漏れ位置候補を参照し、前記漏れ位置推定処理により設定されたブロックに対する距離が最も近い漏れ位置候補を選出する既設定候補選出処理を実行可能にされた請求項１又は請求項２に記載のガス漏れ位置推定装置。
【請求項４】
請求項１から請求項３のうちいずれか一に記載のガス漏れ位置推定装置と、監視対象物を撮像範囲に含み、前記画像情報を前記情報処理手段に与える赤外線カメラと、を備えるガス漏れ位置推定システム。
【請求項５】
赤外線カメラから複数のフレームに亘って画像情報を取得し、
１フレームごとに画像領域を複数のブロックに分割して、ブロックごとにガス領域か否かを判別するブロック判別処理と、
時系列の複数のフレームに亘り、前記ブロック判別処理によりガス領域と判別された回数をブロックごとにカウントするカウント処理と、
前記カウント処理によるカウント値が所定値以上のブロックをガス漏れ推定位置として設定する漏れ位置推定処理と、
を実行するガス漏れ位置推定方法。
【請求項６】
前記漏れ位置推定処理を所定回数繰り返し実行し、ガス漏れ推定位置として設定されるブロックに変化がなければ、前記漏れ位置推定処理を終了する請求項５に記載のガス漏れ位置推定方法。
【請求項７】
前記フレーム内の位置を指定して予め設定された複数の漏れ位置候補を参照し、前記漏れ位置推定処理により設定されたブロックに対する距離が最も近い漏れ位置候補を選出する既設定候補選出処理を実行する請求項５又は請求項６に記載のガス漏れ位置推定方法。
【請求項８】
赤外線カメラから複数のフレームに亘って画像情報を取得するコンピューターに、
１フレームごとに画像領域を複数のブロックに分割して、ブロックごとにガス領域か否かを判別するブロック判別処理と、
時系列の複数のフレームに亘り、前記ブロック判別処理によりガス領域と判別された回数をブロックごとにカウントするカウント処理と、
前記カウント処理によるカウント値が所定値以上のブロックをガス漏れ推定位置として設定する漏れ位置推定処理と、
を実行させるためのガス漏れ位置推定プログラム。
【請求項９】
前記漏れ位置推定処理を所定回数繰り返し実行し、ガス漏れ推定位置として設定されるブロックに変化がなければ、前記漏れ位置推定処理を終了する処理を前記コンピューターに実行させるための請求項８に記載のガス漏れ位置推定プログラム。
【請求項１０】
前記フレーム内の位置を指定して予め設定された複数の漏れ位置候補を参照し、前記漏れ位置推定処理により設定されたブロックに対する距離が最も近い漏れ位置候補を選出する既設定候補選出処理を前記コンピューターに実行させるための請求項８又は請求項９に記載のガス漏れ位置推定装プログラム。
【発明の詳細な説明】
【技術分野】
【０００１】
本発明は、ガス漏れ位置の推定に関する。
【背景技術】
【０００２】
従来、赤外線カメラで工業プラントのガス漏れ発生を検知するシステムが知られている。
特許文献１に記載の発明にあっては、赤外線カメラで取得した画像信号に基づき閾値温度外になった疑似カラー熱画像を選択して表示出力することで、ガス漏れ発生を報知するとともに、漏れたガスによる閾値温度外の領域を知らせるようにした。
【先行技術文献】
【特許文献】
【０００３】
【特許文献１】特開平０９−０２１７０４号公報
【発明の概要】
【発明が解決しようとする課題】
【０００４】
しかし、特許文献１に記載の発明によれば、閾値温度外の領域を表示する処理はあるものの、ガス漏れ位置を分析し推定する処理はなく、ガス漏れ推定位置を指示して報知することもしないために、ユーザーがガス漏れ位置を正確に把握することが困難であった。【０００５】
本発明は以上の従来技術における問題に鑑みてなされたものであって、ガス漏れ位置を精度よく推定することを課題とする。
【課題を解決するための手段】
【０００６】
以上の課題を解決するための請求項１記載の発明は、赤外線カメラから複数のフレームに亘って画像情報を取得する情報処理手段を備え、
前記情報処理手段は、
１フレームごとに画像領域を複数のブロックに分割して、ブロックごとにガス領域か否かを判別するブロック判別処理と、
時系列の複数のフレームに亘り、前記ブロック判別処理によりガス領域と判別された回数をブロックごとにカウントするカウント処理と、
前記カウント処理によるカウント値が所定値以上のブロックをガス漏れ推定位置として設定する漏れ位置推定処理と、
を実行可能にされたガス漏れ位置推定装置である。【０００７】
請求項２記載の発明は、前記情報処理手段による前記漏れ位置推定処理を所定回数繰り返し実行し、ガス漏れ推定位置として設定されるブロックに変化がなければ、前記漏れ位置推定処理を終了する請求項１に記載のガス漏れ位置推定装置である。【０００８】
請求項３記載の発明は、前記情報処理手段は、前記フレーム内の位置を指定して予め設定された複数の漏れ位置候補を参照し、前記漏れ位置推定処理により設定されたブロックに対する距離が最も近い漏れ位置候補を選出する既設定候補選出処理を実行可能にされた請求項１又は請求項２に記載のガス漏れ位置推定装置である。【０００９】
請求項４記載の発明は、請求項１から請求項３のうちいずれか一に記載のガス漏れ位置推定装置と、監視対象物を撮像範囲に含み、前記画像情報を前記情報処理手段に与える赤外線カメラと、を備えるガス漏れ位置推定システムである。【００１０】
請求項５記載の発明は、赤外線カメラから複数のフレームに亘って画像情報を取得し、
１フレームごとに画像領域を複数のブロックに分割して、ブロックごとにガス領域か否かを判別するブロック判別処理と、
時系列の複数のフレームに亘り、前記ブロック判別処理によりガス領域と判別された回数をブロックごとにカウントするカウント処理と、
前記カウント処理によるカウント値が所定値以上のブロックをガス漏れ推定位置として設定する漏れ位置推定処理と、
を実行するガス漏れ位置推定方法である。【００１１】
請求項６記載の発明は、前記漏れ位置推定処理を所定回数繰り返し実行し、ガス漏れ推定位置として設定されるブロックに変化がなければ、前記漏れ位置推定処理を終了する請求項５に記載のガス漏れ位置推定方法である。【００１２】
請求項７記載の発明は、前記フレーム内の位置を指定して予め設定された複数の漏れ位置候補を参照し、前記漏れ位置推定処理により設定されたブロックに対する距離が最も近い漏れ位置候補を選出する既設定候補選出処理を実行する請求項５又は請求項６に記載のガス漏れ位置推定方法である。【００１３】
請求項８記載の発明は、赤外線カメラから複数のフレームに亘って画像情報を取得するコンピューターに、
１フレームごとに画像領域を複数のブロックに分割して、ブロックごとにガス領域か否かを判別するブロック判別処理と、
時系列の複数のフレームに亘り、前記ブロック判別処理によりガス領域と判別された回数をブロックごとにカウントするカウント処理と、
前記カウント処理によるカウント値が所定値以上のブロックをガス漏れ推定位置として設定する漏れ位置推定処理と、
を実行させるためのガス漏れ位置推定プログラムである。【００１４】
請求項９記載の発明は、前記漏れ位置推定処理を所定回数繰り返し実行し、ガス漏れ推定位置として設定されるブロックに変化がなければ、前記漏れ位置推定処理を終了する処理を前記コンピューターに実行させるための請求項８に記載のガス漏れ位置推定プログラムである。【００１５】
請求項１０記載の発明は、前記フレーム内の位置を指定して予め設定された複数の漏れ位置候補を参照し、前記漏れ位置推定処理により設定されたブロックに対する距離が最も近い漏れ位置候補を選出する既設定候補選出処理を前記コンピューターに実行させるための請求項８又は請求項９に記載のガス漏れ位置推定装プログラムである。
【発明の効果】
【００１６】
本発明によれば、時間の経過があってもガス漏れ位置は一定するため、時系列の複数のフレームに基づく処理によりガス漏れ位置を精度よく推定することができる。
【図面の簡単な説明】
【００１７】
【図１】本発明の第１実施形態に係るガス漏れ位置推定システムを示す機能ブロック図である。
【図２】本発明の第１実施形態に係り、画像フレームに対する各処理示す模式図である。
【図３】本発明の第１実施形態に係り、画像フレームに対するカウント処理結果及びガス漏れ位置推定ブロックを示す模式図Ｇaと、表示用の合成画像の一例を示す模式図Ｇbである。
【図４】本発明の第２実施形態に係るガス漏れ位置推定システムを示す機能ブロック図である。
【図５】本発明の第３実施形態に係るガス漏れ位置推定システムを示す機能ブロック図である。
【図６】本発明の第３実施形態に係り、画像フレームに対するカウント処理結果、ガス漏れ位置推定ブロック及び既設定漏れ位置候補ブロックを示す模式図Ｇaと、表示用の合成画像の一例を示す模式図Ｇbである。
【図７】本発明の第４実施形態に係り、画像フレームに対する各処理示す模式図である。
【図８】本発明の第４実施形態に係り、画像フレームに対するカウント処理結果及びガス漏れ位置推定ブロックを示す模式図Ｇaと、表示用の合成画像の一例を示す模式図Ｇbである。
【発明を実施するための形態】
【００１８】
以下に本発明の一実施形態のガス漏れ位置推定装置、ガス漏れ位置推定システム、ガス漏れ位置推定方法及びガス漏れ位置推定プログラムにつき図面を参照して説明する。以下は本発明の一実施形態であって本発明を限定するものではない。以下に説明するガス漏れ位置推定システムは、ガス漏れ位置推定プログラムに基づき、ガス漏れ位置推定方法を実施するガス漏れ位置推定装置と、赤外線カメラと、を備える。
【００１９】
〔第１実施形態〕
まず、本発明の第１実施形態のガス漏れ位置推定ステムにつき説明する。
本実施形態のガス漏れ位置推定システム１００は、赤外線カメラ１０と、可視光カメラ２０と、情報処理手段３０とを備える。情報処理手段３０は、プロセッサーと記憶装置を有したコンピューターにより構成され、記憶装置に記憶されたガス漏れ位置推定プログラムをプロセッサーが実行することで各機能部が構成される。
その機能部として情報処理手段３０は、ガス検出部３１と、ブロック分割部３２と、ブロック判別部３３と、カウント部３４と、漏れ位置推定部３５と、画像合成部３６とを有する。
【００２０】
赤外線カメラ１０は、監視対象物から出ている赤外線放射エネルギーを検出し、それをデジタル画像信号に変換する。可視光カメラ２０は、監視対象物から放射される可視光を検出し、それをデジタル画像信号に変換する。赤外線カメラ１０及び可視光カメラ２０の画角は一致している。工業プラントの配管設備などが監視対象物となる。
赤外線カメラ１０及び可視光カメラ２０が所定のフレームレート（例えば３０ｆｐｓ）で連続撮像を行い、そのフレームデータが順次に情報処理手段３０に入力される。
【００２１】
ガス検出部３１は、赤外線カメラ１０から入力された赤外線画像信号から、温度閾値法や動体検出法などの方法を用いて、画素単位でガス領域を検出する。温度閾値法は、監視対象物の置かれる通常の環境温度範囲より漏洩時に高温又は低温になるガスを検出対象とする場合に、環境温度範囲と弁別する温度閾値によってガス領域か否か判別する方法である。動体検出法は、基準となる他のフレームに対する、例えば特定画素の輝度信号の差分信号が所定の閾値より大きい領域を動体領域と判別し、動体領域をガス領域とする方法である。基準となる他のフレームとしては、直前又は数フレーム前のフレームや、一定期間画像全体として静止していた過去のフレームが選ばれる。
ブロック分割部３２は、赤外線画像信号の各フレーム画像を所定のサイズで複数のブロックに分割する。１ブロックのサイズとしては、例えば１０×１０画素である。
ブロック判別部３３では、各フレームの各ブロックに対して、ガス検出部３１の検出結果を用いて、そのブロックはガス領域であるか否かを判別するブロック判別処理を実行する。ブロック内の画素のうち所定の割合（例えば５０％）以上の画素がガス検出部３１によりガス領域と検出されていれば、ガス領域と判別する。ブロック判別部３３は、ガス領域と判別したブロックに１、ガス領域でないと判別したブロックに０との識別値を与える。
カウント部３４は、時系列の複数のフレームに亘り、ブロック判別処理によりガス領域と判別された回数をブロックごとにカウントするカウント処理を実行する。
漏れ位置推定部３５は、カウント部３４によるカウント値が所定値以上のブロックをガス漏れ推定位置として設定する漏れ位置推定処理を実行する。
画像合成部３６は、可視光カメラ２０から入力された可視光画像をバックレイヤーとし、赤外線カメラ１０から入力された赤外線画像信号のうちガス検出部３１によりガス領域と検出された画素を抽出してこれを可視光範囲に変換した赤外線撮像可視化画像を所定の透過率を設定して重ね合わせるとともに、漏れ位置推定部３５によりガス漏れ推定位置として設定されたブロックを明示する画像を重ね合わせる画像合成処理を実行する。画像合成部３６による合成画像は表示モニターに表示出力される。ユーザーはこの画像を見てガスの分布領域及びガス漏れ位置を把握することができる。
【００２２】
以上の処理内容を図２及び図３を参照して説明する。簡単のため３フレーム分を処理する場合につき説明する。
ガス検出部３１により、図２のＧa1に示すように最初のフレームＦ１中にガス領域Ｇ１が検出されたとする。
これを受けブロック判別部３３は、図２のＧb1に示すようにガス領域と判別したブロックに１、ガス領域でないと判別したブロックに０との識別値を与える。
次に、ガス検出部３１により、図２のＧa2に示すように２番目のフレームＦ２中にガス領域Ｇ２が検出されたとする。
これを受けブロック判別部３３は、図２のＧb2に示すようにガス領域と判別したブロックに１、ガス領域でないと判別したブロックに０との識別値を与える。
次に、ガス検出部３１により、図２のＧa3に示すように３番目のフレームＦ３中にガス領域Ｇ３が検出されたとする。
これを受けブロック判別部３３は、図２のＧb3に示すようにガス領域と判別したブロックに１、ガス領域でないと判別したブロックに０との識別値を与える。
以上の過程を経てカウント部３４がカウントしたブロックごとのカウント値は図３のＧaに示す通りとなる。また、図３のＧaに示すようにカウント値が所定値以上のブロックＢ４７を漏れ位置推定部３５がガス漏れ推定位置として設定する。ここでは、所定値を最多値とする。
画像合成部３６は、図３のＧbに示すように可視光カメラ２０から入力された可視光画像Ｉ３をバックレイヤーとし、赤外線カメラ１０から入力された赤外線画像信号のうちガス検出部３１によりガス領域と検出された画素を抽出してこれを可視光範囲に変換した赤外線撮像可視化画像（Ｇ３）を所定の透過率を設定して重ね合わせるとともに、漏れ位置推定部３５によりガス漏れ推定位置として設定されたブロックＢ４７を明示する画像を重ね合わせた画像を合成する。
合成する可視光画像と赤外線撮像可視化画像は、以上の処理に使用したフレームのうち最新の１フレームとして静止画とし表示するか、最新の数フレームとして動画様に再生表示する。
【００２３】
〔第２実施形態〕
次に、本発明の第２実施形態のガス漏れ位置推定システムにつき説明する。
本実施形態のガス漏れ位置推定システム１０１は、図４に示すように上記第１実施形態のシステム１００に対し、処理終了判断部３７を情報処理手段３０に付加したものである。
【００２４】
処理終了判断部３７は、漏れ位置推定部３５によりガス漏れ推定位置として設定されるブロックが所定回数に亘り不変であるか否か判断する。例えば図２を参照して説明した例では、３フレームごとに１回の漏れ位置推定部３５による漏れ位置推定処理がなされる。例えば、所定回数を４回とすれば、４回に亘り漏れ位置推定部３５によりガス漏れ推定位置として設定されるブロックが不変であるか否か判断する。
不変であった場合、ブロック判別部３３によるブロック判別処理を終了する。これに従い、後流のカウント部３４と、漏れ位置推定部３５と、画像合成部３６の処理も自ずと終了する。
以上の第２実施形態により、一定の信頼性のあるガス漏れ位置の推定を達成しつつ、情報処理手段３０における計算量を削減できる。
【００２５】
〔第３実施形態〕
次に、本発明の第３実施形態のガス漏れ位置推定システムにつき説明する。
本実施形態のガス漏れ位置推定システム１０２は、図５に示すように上記第１実施形態システム１００に対し、既設定候補選出部３８を情報処理手段３０に付加したものである。
【００２６】
赤外線カメラ１０が撮像するフレーム内の位置を指定して予め複数の漏れ位置候補が設定され、情報処理手段３０に登録される。
既設定候補選出部３８は、漏れ位置推定部３５により設定されたブロックに対する距離が最も近い漏れ位置候補を選出する。
例えば、フランジ継手５１，５２，５３のあるブロックＣ４２，Ｃ５４，Ｃ４７（図６のＧa参照）が予め漏れ位置候補として設定される。継手などの流路の接続部分はガス漏れが発生しやすい部位だからである。
図６のＧaに示すように漏れ位置推定部３５によりブロックＢ１４，Ｂ２５，Ｂ３５，Ｂ ３６が最多値「２」でガス漏れ推定位置として設定されたとする。
既設定候補選出部３８は、これらのブロックＢ１４，Ｂ２５，Ｂ３５，Ｂ３６に対するブロックＣ４２の距離、ブロックＣ４７の距離、ブロックＣ５４の距離をそれぞれ算出して、距離が最も近い漏れ位置候補、すなわち、ブロックＣ４７を選出する。距離は、ブロックの中心座標を基準とした直線距離を算出し、その合計値又は平均値によって判断するとよい。
画像合成部３６は、図６のＧbに示すように、上記第１実施形態と同様に漏れ位置推定部３５により設定されたブロックＢ１４，Ｂ２５，Ｂ３５，Ｂ３６を明示する画像を重ね合わせる合成を行うほか、既設定候補選出部３８により選出されたブロックＣ４７を明示する画像を重ね合わせる合成を行う。
なお、漏れ位置推定部３５により設定されたブロックＢ１４，Ｂ２５，Ｂ３５，Ｂ３６を明示する画像の重ね合わせは行わずに、既設定候補選出部３８により選出されたブロックＣ４７を明示する画像を重ね合わせる合成を行ってもよい。
【００２７】
以上の第３実施形態により、図６のＧbに示すように赤外線カメラ１０と監視対象物である配管設備との間に樹木などの遮蔽物Ｎ１が出現することがあっても、予め登録された既設定候補に基づき、ガス漏れ位置を精度よく推定することができる。
なお、図６のＧbにおいて遮蔽物Ｎ１が無い場合は、図３のＧbの場合であり、漏れ位置推定部３５により設定されるブロックと既設定候補選出部３８により選出されるブロックとが一致する。このように一致する場合は、そのブロックを表示することはもちろん、さらに画像処理に基づいてガス漏れ推定位置と設定されたブロックと既設定漏れ位置候補ブロックとが一致したことも識別できるように表示することが好ましい。
【００２８】
〔第４実施形態〕
次に、本発明の第４実施形態のガス漏れ位置推定システムにつき説明する。
本実施形態のガス漏れ位置推定システムは、図１に示す上記第１実施形態と同様の構成を有し、以下の処理内容を実施する。
本実施形態では、ブロック分割部３２は、赤外線画像信号の各フレーム画像を１２×１４の複数のブロックに分割する。
【００２９】
ガス検出部３１により、図７のＧa1に示すように最初のフレームＦ１中にガス領域Ｇ１が検出されたとする。
これを受けブロック判別部３３は、図７のＧb1に示すようにガス領域と判別したブロックに１、ガス領域でないと判別したブロックに０との識別値を与える。
次に、ガス検出部３１により、図７のＧa2に示すように２番目のフレームＦ２中にガス領域Ｇ２が検出されたとする。
これを受けブロック判別部３３は、図７のＧb2に示すようにガス領域と判別したブロックに１、ガス領域でないと判別したブロックに０との識別値を与える。
同様に、３−９番目のフレームついても処理し、各フレームの各ブロックに識別値「１」又は「０」を与える。
次に、ガス検出部３１により、図７のＧa3に示すように１０番目のフレームＦ１０中にガス領域Ｇ１０が検出されたとする。
これを受けブロック判別部３３は、図７のＧb3に示すようにガス領域と判別したブロックに１、ガス領域でないと判別したブロックに０との識別値を与える。
以上の過程を経てカウント部３４がカウントしたブロックごとのカウント値は図８のＧaに示す通りとなったとする。また、図８のＧaに示すようにカウント値が所定値以上のブロックＢ０６１１，Ｂ０６１２，Ｂ０６１３，Ｂ０６１４，Ｂ０７１１，Ｂ０７１２，Ｂ０７１３，Ｂ０７１４，Ｂ０８１３，Ｂ０８１４，Ｂ０９１３，Ｂ０９１４を漏れ位置推定部３５がガス漏れ推定位置として設定する。ここでは、所定値を９とする。
画像合成部３６は、図８のＧbに示すように可視光カメラ２０から入力された可視光画像 Ｉ１０をバックレイヤーとし、赤外線カメラ１０から入力された赤外線画像信号のうちガス検出部３１によりガス領域と検出された画素を抽出してこれを可視光範囲に変換した赤外線撮像可視化画像（Ｇ１０）を所定の透過率を設定して重ね合わせるとともに、漏れ位置推定部３５によりガス漏れ推定位置として設定されたブロックＢ０６１１，Ｂ０６１２，Ｂ０６１３，Ｂ０６１４，Ｂ０７１１，Ｂ０７１２，Ｂ０７１３，Ｂ０７１４，Ｂ０８１３，Ｂ０８１４，Ｂ０９１３，Ｂ０９１４を明示する画像を重ね合わせた画像を合成する。
合成する可視光画像と赤外線撮像可視化画像は、以上の処理に使用したフレームのうち最新の１フレームとして静止画とし表示するか、最新の数フレームとして動画様に再生表示する。
ガス漏れ推定位置として設定するカウント値の閾値を最多値又は最多値より低い値（例えば平均値）とすると、絶対的には低い値であっても閾値以上の値は必ず生じるから、正確なガス漏れ位置の推定とならないおそれがある。
以上の第４実施形態によれば、ガス漏れ推定位置として設定するカウント値の閾値を定数値としたので、最多値が当該定数値を下回る場合はガス漏れ推定位置を設定せず、これによりノイズなどの影響を受けることを抑えつつ、ガス漏れ位置を精度よく推定することができる。
【００３０】
なお、以上の実施形態にあっては、ガス漏れ推定位置を設定するために処理したフレーム数を３や１０としたが、かかるフレーム数はフレームレートや計算負担、推定精度を考慮して適宜に設定される。
以上の実施形態にあっては、画像合成においてガス漏れ推定位置をわかりやすくするために、可視光カメラ２０により撮像された可視光画像Ｉ３をバックレイヤーとしたが、撮像されたものではなく、予め作成されたグラフィックをバックレイヤーとしてもよい。
以上の実施形態においては画像合成部３６を設けたが、合成画像の表示は対人用途であるので、本システムによって推定したガス漏れ位置を、コンピューターによる他のシステムに通知する場合には、これを設けることは必ずしも必要ではない。
【産業上の利用可能性】
【００３１】
本発明は、工業プラント等でのガス漏れ発生を検知し、そのガス漏れの位置を特定することに利用することができる。
【符号の説明】
【００３２】
１０ 赤外線カメラ
２０ 可視光カメラ
３０ 情報処理手段
Ｆ１ フレーム
Ｆ２ フレーム
Ｆ３ フレーム
Ｇ１ ガス領域
Ｇ２ ガス領域
Ｇ３ ガス領域
Ｉ３ 可視光画像
Ｎ１ 遮蔽物
【図１】
2016143754.tif 000003
【図２】
2016143754.tif 000004
【図３】
2016143754.tif 000005
【図４】
2016143754.tif 000006
【図５】
2016143754.tif 000007
【図６】
2016143754.tif 000008
【図７】
2016143754.tif 000009
【図８】
2016143754.tif 000010
【国際調査報告】
2016143754.tif 000011
2016143754.tif 000012
2016143754.tif 000013